(57)【要約】【課題】複数の鉢等に給水することが可能であると共に、別部品を使用することなく水量の調整を行うことを可能とした自動給水装置を提供することにある。【解決手段】開閉弁８〜１２は、時計用ムーブメントの時針軸に固定された第１の回転体２８のカムと時計用ムーブメントの分針軸に固定された第２の回転体の板状部材３１とが係合する位置に対応する間隔で配置されている。カムと板状部材３１とが係合する位置は、時針と分針が重なる位置に相当し、３２．７３度毎に重なることになる。このため、第１の回転体２８のカムと第２の回転体の板状部材３１とが係合する位置に開閉弁８〜１２を配置すると、板状部材３１に固定された磁石が開閉弁８〜１２に接近し、順次開閉させる。【選択図】　図５
2004121112.tif 000002
【特許請求の範囲】
【請求項１】
上方に設けた流入口から下方に設けた供給口へと水等の液体を流入させる管路と、
該管路の内壁に一端を固定して他端で前記供給口を開閉すると共に弾性を有し且つ磁性体で形成されるか又は磁石が取り付けられた開閉弁と、
前記管路の外側に配置された時計用ムーブメントと、
該時計用ムーブメントの時針軸に固定する第１の回転体に取り付けられたカムと、
前記時計用ムーブメントの分針軸に固定する弾性を有する第２の回転体に取り付けられた磁石と、を有し、
前記第２の回転体が前記カムに係合して該第２の回転体が撓むことにより、前記第２の回転体の磁石が前記開閉弁又は開閉弁の磁石を吸引して前記開閉弁を開く自動給水装置において、
前記供給口を複数設けると共に該供給口にそれぞれ前記開閉弁を設け、
該開閉弁を前記第１の回転体のカムに前記第２の回転体が係合する位置に対応する間隔でそれぞれ配置することを特徴とする自動給水装置。
【請求項２】
前記開閉弁は、中心角が３２．７３度又はその倍数となる間隔で同一円周上に配置されていることを特徴とする請求項１記載の自動給水装置。
【発明の詳細な説明】
【０００１】
【発明の属する技術分野】
本発明は、一定時間毎に植物やペットに水等を供給する自動給水装置に関するものであり、特に時計用ムーブメントを用いたものに関する。
【０００２】
【従来の技術】
従来のこの種の自動給水装置装置としては、上方に設けた流入口から下方に設けた供給口へと水等の液体を流入させる管路と、この管路の内壁に一端を固定して他端で供給口を開閉すると共に弾性を有し且つ磁性体で形成されるか又は磁石が取り付けられた開閉弁と、管路の外側に配置された時計用ムーブメントと、この時計用ムーブメントの時針軸に固定する第１の回転体に取り付けられたカムと、時計用ムーブメントの分針軸に固定する弾性を有する第２の回転体に取り付けられた磁石と、を有し、第２の回転体がカムに係合して第２の回転体が撓むことにより、第２の回転体の磁石が開閉弁又は開閉弁の磁石を吸引して開閉弁を開いて給水するものがあった（例えば、特許文献１参照）。
【０００３】
【特許文献１】
特開２００２−１２５４９３号公報
【０００４】
【発明が解決しようとする課題】
上記従来技術においては、時計用ムーブメントを用いた簡単な構造で、液体の放出時間を最適の時間に設定することが可能であるが、供給口が１個であるため、複数の鉢等に水を供給することができなかった。また、供給口が１個であるため、供給口に取り付けるノズルを複数用意して、それを付け替える等しなければ水量を調整することはできなかった。
【０００５】
本発明は、上記従来技術の課題に鑑みなされたもので、複数の鉢等に給水することが可能であると共に、別部品を使用することなく水量の調整を行うことを可能とした自動給水装置を提供するものである。
【０００６】
【課題を解決するための手段】
本発明の自動給水装置は、上方に設けた流入口から下方に設けた供給口へと水等の液体を流入させる管路と、該管路の内壁に一端を固定して他端で前記供給口を開閉すると共に弾性を有し且つ磁性体で形成されるか又は磁石が取り付けられた開閉弁と、前記管路の外側に配置された時計用ムーブメントと、該時計用ムーブメントの時針軸に固定する第１の回転体に取り付けられたカムと、前記時計用ムーブメントの分針軸に固定する弾性を有する第２の回転体に取り付けられた磁石と、を有し、前記第２の回転体が前記カムに係合して該第２の回転体が撓むことにより、前記第２の回転体の磁石が前記開閉弁又は開閉弁の磁石を吸引して前記開閉弁を開く自動給水装置において、前記供給口を複数設けると共に該供給口にそれぞれ前記開閉弁を設け、該開閉弁を前記第１の回転体のカムに前記第２の回転体が係合する位置に対応する間隔でそれぞれ配置したものである。この自動給水装置における前記開閉弁は、中心角が３２．７３度又はその倍数となる間隔で同一円周上に配置されている。
【０００７】
【発明の実施の形態】
本発明の自動給水装置においては、供給口とそれを開閉する開閉弁を複数設けている。この開閉弁は、時計用ムーブメントの時針軸に固定された第１の回転体のカムと時計用ムーブメントの分針軸に固定された第２の回転体とが係合する位置に対応する間隔で配置されている。カムと第２の回転体とが係合する位置は、時針と分針が重なる位置に相当する。時針と分針は３２．７３度毎に重なり、時間に換算すると１時間５分２７秒間隔で重なることになる。このため、カムと第２の回転体も時針及び分針と同様の間隔で係合し、開閉弁をカムと第２の回転体とが係合する位置に対応する間隔で配置することにより、複数の開閉弁を順次開閉させることができる。
【０００８】
また、供給口を複数設けているので、各供給口の口径を変えることで流出する水量をそれぞれ設定することが可能となる。また、上方の流入口と供給口との位置関係やその距離等により、流出する水量をそれぞれ設定することも可能である。
【０００９】
【実施例】
以下、図面に基いて本発明の実施例を説明する。図１は本発明の一実施例に係る自動給水装置の要部断面図、図２は図１に示す自動給水装置の側面図、図３は図２に示す自動給水装置の正面図、図４は図３に示す自動給水装置の平面図、図５は図３に示す自動給水装置の一部を切断した状態を示す正面図である。管路２は、上方に筒状の流入口２ａを有し、下方にノズル状の供給口２ｂ、２ｃ、２ｄを有している。流入口２ａには、図６に示すように、外周に溝２ｅが設けられており、ここにＯリング４が取り付けられている。また、流入口２ａには、タンクの流出口６が外嵌され、タンクないの水が重力で流入するように構成されている。
【００１０】
管路２の内部には、供給口２ｂ、２ｃ、２ｄを開放及び閉鎖する開閉弁８，１０，１２が設けられている。この開閉弁８，１０，１２は、３つに分岐した先端部１４ｂ、１４ｃ、１４ｄを有し且つ弾性を有する磁性体からなる開閉板１４と、その先端部１４ｂ、１４ｃ、１４ｄにそれぞれ固着され供給口２ｂ、２ｃ、２ｄにそれぞれ対面して塞ぐ位置に配置されたパッキン１６，１８，２０とを備えている。通常、開閉板１４の先端部１４ｂ、１４ｃ、１４ｄの弾性によりパッキン１６，１８，２０が供給口２ｂ、２ｃ、２ｄの内側開口部分に押し付けられて供給口２ｂ、２ｃ、２ｄをそれぞれ塞いで水の放出を止める状態になっている。尚、本実施例における開閉弁８，１０，１２は、管路２の背面側開口部分から管路２内に収められて固定され、管路２の背面側開口部分をカバー２ｆで塞ぐことにより管路２内に封入されている。
【００１１】
時計用ムーブメント２２は、支柱２４を介して管路２が取り付けられている受板２６に、管路２内の開閉弁８，１０，１２に時針軸２２ａ及び分針軸２２ｂが向き合うように位置付けられて取り付けられている。この時計用ムーブメント２２は、通常の時計用ムーブメントと同様に、時針軸２２ａと分針軸２２ｂを同心軸上に突出させたものであり、時針軸２２ａは１２時間で１回転し、分針軸２２ｂは１時間で１回転する。時針軸２２ａには第１の回転体２８が取り付けられており、第１の回転体２８と管路２との間に位置するように分針軸２２ｂには第２の回転体３０が取り付けられている。
【００１２】
第１の回転体２８の管路２に面する端面上には、カム３２が取り付けられている。カム３２は第１の回転体２８と共に時針軸２２ａを中心として１２時間で１回転する。
【００１３】
一方、第２の回転体３０は、一端が分針軸２２ｂに取り付けられ他端が解放された弾性を有する板状部材３１と、その解放端に取り付けられた磁石３４を備えている。この板状部材３１は分針軸２２ｂによって１時間で１回転し、その間に第１の回転体２８のカム３２に１回係合する。板状部材３１とカム３２が係合する位置は、時計の時針と分針が重なる位置に対応するものであり、１時間５分２７秒に１回係合し、係合する位置は３２．７３度ずつずれて行く。板状部材３１は、カム３２に係合すると管路２の方向へ押し出され、これによって磁石３４が管路２のカバー２ｆに接近するように構成されている。
【００１４】
前述した開閉弁８，１０，１２は、磁石３４が接近する位置の間隔に配置されている。即ち、磁石３４が管路２に接近する位置は、第１の回転体２８のカム３２と第２の回転体３０の板状部材３１が係合する位置の間隔に対応するものであり、カム３２と板状部材３１が係合する位置に対応するように開閉弁８，１０，１２を配置すれば、開閉弁８，１０，１２にそれぞれ磁石３４が接近するように設定することができる。従って、開閉弁８，１０，１２は、３２．７３度の間隔で配置されており、この間隔で配置された開閉弁８，１０，１２に磁石３４がカム３２の作用で接近するように設定している。
【００１５】
次に、上記構成からなる自動給水装置の動作を説明する。供給口２ｂ、２ｃ、２ｄからの放水が停止しているときには、第１の回転体２８のカム３２と第２の回転体３０の板状部材３１が係合していない状態にあり、磁石３４が管路２から離れた状態になっている。このときにパッキン１６，１８，２０は、開閉板１４の弾性により管路２の内側から供給口２ｂ、２ｃ、２ｄに押し付けられて供給口２ｂ、２ｃ、２ｄを塞いで、水を止める状態になっている。
【００１６】
ここで、時計用ムーブメント２２の時針軸２２ａと分針軸２２ｂの回転に伴って第１の回転体２８と第２の回転体３０がそれぞれ回転すると、１時間５分２７秒間隔で第１の回転体２８のカム３４と第２の回転体３０の板状部材３１が係合する。このようにカム３２と板状部材３１が係合すると、板状部材３１は撓んで、その解放端に取り付けられた磁石３４が管路２に接近する。
【００１７】
開閉弁８，１０，１２はそれぞれ磁石３４が接近する位置に対応して配置されている。このため、いま磁石３４が開閉弁８に対面するように接近すると、開閉板１４の先端部１４ｂが磁石３４によって吸引されて撓み、先端部１４ｂに取り付けられたパッキン１６は供給口２ｂから引き離される。これにより、供給口２ｂは開口して水が放出される。
【００１８】
その後、第１の回転体２８と第２の回転体３０の回転によりカム３２と板状部材３１の係合が外れると、板状部材３１はその弾性によって復元し、磁石３４を管路２から引き離す。これにより磁石３４による吸引力が開閉板１４の先端部１４ｂに作用しなくなり、先端部１４ｂはその弾性によって復元し、パッキン１６を供給口２ｂに押し付けて塞ぎ、放水は停止する。
【００１９】
その後、再びカム３２と板状部材３１とが係合するのは、１時間５分２７秒後であって、前回係合した位置から３２．７３度の角度をもった同一円周上に位置するポイントとなる。前述したように、このポイントには開閉弁１０が配置されており、上記動作と同様に、この開閉弁１０に磁石３４が接近すると、今度は開閉板１４の先端部１４ｃが吸引されて撓み、パッキン１８が供給口２ｃから引き離されて水の放出を開始する。このような供給口２ｃからの放水も、カム３２と板状部材３１との係合が外れると磁石３４による吸引力が先端部１４ｃに作用しなくなり、先端部１４ｃの弾性でパッキン１８が供給口２ｃに押し付けられて放水が停止する。
【００２０】
更に、その後、１時間５分２７秒後に再びカム３２と板状部材３１が係合し、上記動作と同様の動作によって供給口２ｄが開閉される。このように、一定の間隔で３つの供給口２ｂ、２ｃ、２ｄから順次水が放出される。
【００２１】
上記実施例においては供給口及びそれに対応する開閉弁をそれぞれ３個設けているが、カム３２と板状部材３１とが係合する位置の間隔、即ち中心角が３２．７３度となる間隔で開閉弁を配置すれば、供給口及び開閉弁の数は最大で１１個設けることができる。図７は供給口４２ｂ〜４２ｋ、４２ｍと開閉弁４４〜６４をそれぞれ１１個設けた場合の管路４２内の構造を示す断面図である。開閉弁４４〜６４は、図１に示すカム３２と板状部材３１が係合して磁石３４が接近する位置に対応して３２．７３度の間隔で同一円周上に配置されている。開閉板６６は、開閉弁４４〜６４の数に対応して１１個の先端部６６ｂ〜６６ｋ、６６ｍを有し、各先端部にパッキン６８〜８８が取り付けられている。
【００２２】
図７に示すような構造に管路４２及び開閉弁４４〜６４を変更すれば、１１個の供給口４２ｂ〜４２ｋ、４２ｍから順次水を放出させることが可能となる。
【００２３】
尚、上記各実施例における開閉弁８〜１２、４４〜６４においては、その開閉板１４、６６を磁性体で構成することにより、磁石３４で吸引することを可能としているが、この他、開閉板１４，６６を磁性体で構成せずにその先端部１４ｂ〜１４ｄ、６６ｂ〜６６ｋ、６６ｍにそれぞれ磁石を取り付けて、磁石３４の磁力で先端部を吸引することができるように構成することもできる。
【００２４】
また、開閉弁８〜１２を３２．７３度の間隔で設けた場合には１時間５分２７秒間隔で順次開閉弁８〜１２が開閉するが、６５．４６度の間隔で設けた場合には、２時間１０分５４秒間隔で順次開閉弁８〜１２が開閉することになる。このように、開閉弁８〜１２の間隔を３２・７３度の倍数で設定することにより、開閉する間隔を様々に変えて設定することが可能である。
【００２５】
また、供給口２ｂ〜２ｄ等の口径を変更することにより、放出する水量をそれぞれ設定することが可能となる。水量の設定に関しては、管路２，４２の上方にある流入口２ａ，４２ａと供給口２ｂ〜２ｄ、４２ｂ〜４２ｋ、４２ｍとの距離や高低差等により、水量を設定することも可能である。
【００２６】
【発明の効果】
本発明によれば、時計用ムーブメントを使用するという基本構成を変えることなく供給口及びその開閉を行う開閉弁を複数設けているので、簡単な構成で各供給口から順次適量の水を放出させて複数の鉢等に給水することができる。
【００２７】
また、各供給口の口径や位置をそれぞれ設定することにより、別体の器具を使用することなく、放出する水量をそれぞれ変えて設定することができる。
【００２８】
更に、供給口と開閉弁の数は１１個以内であれば任意に形成することができ、また、その位置も３２．７３度又はその倍数の間隔で同一円周上であれば任意に設けることができ、使用目的や使用場所に応じて供給口の数や位置も変更することができる。
【図面の簡単な説明】
【図１】本発明の一実施例に係る自動給水装置の要部断面図である。
【図２】図１に示す自動給水装置の側面図である。
【図３】図２に示す自動給水装置の正面図である。
【図４】図３に示す自動給水装置の平面図である。
【図５】図３に示す自動給水装置の一部を切断した状態を示す正面図である。
【図６】図１に示す管路とタンクとの連結部分を示す断面図である。
【図７】供給口及び開閉弁を１１個設けたときの管路内の構造を示す断面図である。
【符号の説明】
２，４２　　　　　　　　管路
２ｂ〜２ｄ、４２ｂ〜４２ｋ、４２ｍ　　　供給口
８〜１２、４４〜６４　　　　　　　　　　開閉弁
１４、６６　　　　　　　開閉板
１４ｂ〜１４ｄ、６６ｂ〜６６ｋ、６６ｍ　先端部
１６〜２０、６８〜８８　パッキン
２２　　　　　　　　　　時計用ムーブメント
２２ａ　　　　　　　　　時針軸
２２ｂ　　　　　　　　　分針軸
２８　　　　　　　　　　第１の回転板
３０　　　　　　　　　　第２の回転板
３２　　　　　　　　　　カム
３４　　　　　　　　　　磁石
【図１】
2004121112.tif 000003
【図２】
2004121112.tif 000004
【図３】
2004121112.tif 000005
【図４】
2004121112.tif 000006
【図５】
2004121112.tif 000007
【図６】
2004121112.tif 000008
【図７】
2004121112.tif 000009